【手続補正書】
【提出日】平成23年11月30日(2011.11.30)
【手続補正１】
【補正対象書類名】明細書
【補正対象項目名】００１１
【補正方法】変更
【補正の内容】
【００１１】
この発明の主題は、送信側で既知のパイロット信号が挿入されて伝送された直交周波数分割多重信号の受信装置であって、受信した前記直交周波数分割多重信号に対して所定のタイミングでフーリエ変換するフーリエ変換部と、前記フーリエ変換部の出力からパイロット信号を抽出するパイロット抽出部と、前記パイロット抽出部の出力を既知信号で除算する除算部と、前記除算部の出力を時間方向に内挿して出力する時間内挿フィルタ部と、同一シンボルに於ける前記時間内挿フィルタ部の出力に対して誤検出成分を抑圧する誤検出成分抑圧部と、前記誤検出成分抑圧部の出力を周波数方向に内挿する周波数内挿フィルタ部と、前記フーリエ変換部の出力を前記周波数内挿フィルタ部の出力で除算して、搬送波毎に復調を行う等化部とを、備え、前記誤検出成分抑圧部は、同一シンボルに対する前記時間内挿フィルタ部の各出力を搬送波周波数の低いものから順に並べた信号列を入力とする帯域阻止フィルタで構成され、前記帯域阻止フィルタの阻止帯域は、前記パイロット信号の時間方向の挿入間隔がシンボル間隔のｍ倍の場合には、入力される信号成分の内で最も直流成分に近い成分の周波数を基準に当該帯域阻止フィルタのサンプリング周波数のｍ分の１の周波数だけ離れた周波数を有する信号成分が阻止される様に設定されていることを特徴とする。
【手続補正２】
【補正対象書類名】特許請求の範囲
【補正対象項目名】請求項１
【補正方法】変更
【補正の内容】
【請求項１】
送信側で既知のパイロット信号が挿入されて伝送された直交周波数分割多重信号の受信装置であって、
受信した前記直交周波数分割多重信号に対して所定のタイミングでフーリエ変換するフーリエ変換部と、
前記フーリエ変換部の出力からパイロット信号を抽出するパイロット抽出部と、
前記パイロット抽出部の出力を既知信号で除算する除算部と、
前記除算部の出力を時間方向に内挿して出力する時間内挿フィルタ部と、
同一シンボルに於ける前記時間内挿フィルタ部の出力に対して誤検出成分を抑圧する誤検出成分抑圧部と、
前記誤検出成分抑圧部の出力を周波数方向に内挿する周波数内挿フィルタ部と、
前記フーリエ変換部の出力を前記周波数内挿フィルタ部の出力で除算して、搬送波毎に復調を行う等化部とを、備え、
前記誤検出成分抑圧部は、同一シンボルに対する前記時間内挿フィルタ部の各出力を搬送波周波数の低いものから順に並べた信号列を入力とする帯域阻止フィルタで構成され、前記帯域阻止フィルタの阻止帯域は、前記パイロット信号の時間方向の挿入間隔がシンボル間隔のｍ倍の場合には、入力される信号成分の内で最も直流成分に近い成分の周波数を基準に当該帯域阻止フィルタのサンプリング周波数のｍ分の１の周波数だけ離れた周波数を有する信号成分が阻止される様に設定されていることを特徴とする、
直交周波数分割多重信号の受信装置。
【手続補正３】
【補正対象書類名】特許請求の範囲
【補正対象項目名】請求項２
【補正方法】変更
【補正の内容】
【請求項２】
送信側で既知のパイロット信号が挿入されて伝送された直交周波数分割多重信号の受信装置であって、
受信した前記直交周波数分割多重信号に対して所定のタイミングでフーリエ変換するフーリエ変換部と、
前記フーリエ変換部の出力からパイロット信号を抽出するパイロット抽出部と、
前記パイロット抽出部の出力を既知信号で除算する除算部と、
前記除算部の出力を時間方向に内挿して出力する時間内挿フィルタ部と、
同一シンボルに於ける前記時間内挿フィルタ部の出力に対して誤検出成分を抑圧する誤検出成分抑圧部と、
前記誤検出成分抑圧部の出力及び前記時間内挿フィルタ部の出力の内で何れか一方の出力を速度情報に応じて切り替えて出力するフィルタ切り替え部と、
前記フィルタ切り替え部の出力を周波数方向に内挿する周波数内挿フィルタ部と、
前記フーリエ変換部の出力を前記周波数内挿フィルタ部の出力で除算して、搬送波毎に復調を行う等化部とを、備え、
前記誤検出成分抑圧部は、同一シンボルに対する前記時間内挿フィルタ部の各出力を搬送波周波数の低いものから順に並べた信号列を入力とする帯域阻止フィルタで構成され、前記帯域阻止フィルタの阻止帯域は、前記パイロット信号の時間方向の挿入間隔がシンボル間隔のｍ倍の場合には、入力される信号成分の内で最も直流成分に近い成分の周波数を基準に当該帯域阻止フィルタのサンプリング周波数のｍ分の１の周波数だけ離れた周波数を有する信号成分が阻止される様に設定されていることを特徴とする、
直交周波数分割多重信号の受信装置。
【手続補正４】
【補正対象書類名】特許請求の範囲
【補正対象項目名】請求項３
【補正方法】変更
【補正の内容】
【請求項３】
送信側で既知のパイロット信号が挿入されて伝送された直交周波数分割多重信号の受信装置であって、
受信した前記直交周波数分割多重信号に対して所定のタイミングでフーリエ変換するフーリエ変換部と、
前記フーリエ変換部の出力からパイロット信号を抽出するパイロット抽出部と、
前記パイロット抽出部の出力を既知信号で除算する除算部と、
前記除算部の出力を時間方向に内挿して出力する時間内挿フィルタ部と、
同一シンボルに於ける前記時間内挿フィルタ部の出力に対して誤検出成分を抑圧する誤検出成分抑圧部と、
前記誤検出成分抑圧部の出力を周波数方向に内挿する周波数内挿フィルタ部と、
前記フーリエ変換部の出力を前記周波数内挿フィルタ部の出力で除算して、搬送波毎に復調を行う等化部とを、備え、
前記誤検出成分抑圧部は、同一シンボルに対する前記時間内挿フィルタ部の各出力を搬送波周波数の低いものから順に並べ、前記時間内挿フィルタ部の出力の周波数間隔が、送信されている搬送波と同じ周波数間隔になる様に前記時間内挿フィルタ部の出力間に零値が挿入された信号列を入力とする帯域阻止フィルタで構成され、前記帯域阻止フィルタの阻止帯域は、同一シンボルに於ける前記パイロット信号の周波数方向の挿入間隔が搬送波周波数間隔のｎ倍の場合には、入力される信号成分の内で最も直流成分に近い成分の周波数を基準に当該帯域阻止フィルタのサンプリング周波数のｎ分の１及びその整数倍の周波数だけ離れた周波数を有する各成分が阻止される様に設定されていることを特徴とする、
直交周波数分割多重信号の受信装置。
【手続補正５】
【補正対象書類名】特許請求の範囲
【補正対象項目名】請求項４
【補正方法】変更
【補正の内容】
【請求項４】
送信側で既知のパイロット信号が挿入されて伝送された直交周波数分割多重信号の受信装置であって、
受信した前記直交周波数分割多重信号に対して所定のタイミングでフーリエ変換するフーリエ変換部と、
前記フーリエ変換部の出力からパイロット信号を抽出するパイロット抽出部と、
前記パイロット抽出部の出力を既知信号で除算する除算部と、
前記除算部の出力を時間方向に内挿して出力する時間内挿フィルタ部と、
同一シンボルに於ける前記時間内挿フィルタ部の出力に対して誤検出成分を抑圧する誤検出成分抑圧部と、
前記誤検出成分抑圧部の出力及び前記時間内挿フィルタ部の出力の内で何れか一方の出力を速度情報に応じて切り替えて出力するフィルタ切り替え部と、
前記フィルタ切り替え部の出力を周波数方向に内挿する周波数内挿フィルタ部と、
前記フーリエ変換部の出力を前記周波数内挿フィルタ部の出力で除算して、搬送波毎に復調を行う等化部とを、備え、
前記誤検出成分抑圧部は、同一シンボルに対する前記時間内挿フィルタ部の各出力を搬送波周波数の低いものから順に並べ、前記時間内挿フィルタ部の出力の周波数間隔が、送信されている搬送波と同じ周波数間隔になる様に前記時間内挿フィルタ部の出力間に零値が挿入された信号列を入力とする帯域阻止フィルタで構成され、前記帯域阻止フィルタの阻止帯域は、同一シンボルに於ける前記パイロット信号の周波数方向の挿入間隔が搬送波周波数間隔のｎ倍の場合には、入力される信号成分の内で最も直流成分に近い成分の周波数を基準に当該帯域阻止フィルタのサンプリング周波数のｎ分の１及びその整数倍の周波数だけ離れた周波数を有する各成分が阻止される様に設定されていることを特徴とする、
直交周波数分割多重信号の受信装置。
【手続補正６】
【補正対象書類名】特許請求の範囲
【補正対象項目名】請求項６
【補正方法】変更
【補正の内容】
【請求項６】
請求項５記載の直交周波数分割多重信号の受信装置であって、
前記誤検出抑圧周波数内挿フィルタ部は、同一シンボルに対する前記時間内挿フィルタ部の出力を搬送波周波数の低いものから順に並べ、前記時間内挿フィルタ部の出力の周波数間隔が、送信されている搬送波と同じ周波数間隔になる様に前記時間内挿フィルタ部の出力間に零値が挿入された信号列を入力とする帯域通過フィルタで構成され、前記時間内挿フィルタ部の出力を周波数方向に内挿する帯域通過特性を有すると同時に、前記帯域通過フィルタの阻止帯域が、同一シンボルに於ける前記パイロット信号の周波数方向の挿入間隔が搬送波周波数間隔のｎ倍の場合には、入力される信号成分の内で最も直流成分に近い成分の周波数を基準に当該帯域通過フィルタのサンプリング周波数のｎ分の１及びその整数倍の周波数だけ離れた周波数を有する各成分が阻止される特性を有する様に構成されることを特徴とする、
直交周波数分割多重信号の受信装置。